【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
三次元配列を取る如く、一つまたは複数の導体に配置された複数の凹所に発光接合部を取付ける段階を含む、ランプの製造方法。
【請求項２】
前記凹所の配列は、該凹所に取付けられた前記発光接合部が仮想略回転楕円表面に配置されるようになっている請求項１に記載の製造方法。
【請求項３】
前記一つまたは複数の導体は、前記三次元配列を形成する非平坦支持部を構成する請求項１または２に記載の製造方法。
【請求項４】
前記一つまたは複数の導体が略部分球面状である請求項１から３のいずれか一項に記載の製造方法。
【請求項５】
さらに、一つまたは複数の略平坦導体を形成することによって、前記一つまたは複数の部分球面状導体を形成する段階を含む、請求項４に記載の製造方法。
【請求項６】
前記非平坦支持部がリードフレームの形態をなして設けられている請求項３に記載の製造方法。
【請求項７】
さらに、前記複数の凹所を形成する段階を含む請求項１から６のいずれか一項に記載の製造方法。
【請求項８】
前記複数の凹所を形成する段階がポンチおよび受型をリードフレームに係合させて前記複数の凹所を形成するようにした請求項７に記載の製造方法。
【請求項９】
前記凹所は単一動作で形成される請求項８に記載の製造方法。
【請求項１０】
前記各凹所は順次に形成され、且つ、
前記ポンチおよび受型は、各凹所形成動作の後で該ポンチおよび受型が次続凹所形成動作に対して適切に位置決めされる如く前記リードフレームに対して移動される、請求項８記載の製造方法。
【請求項１１】
前記リードフレームを担持体上に支持する段階と、
前記接合部が前記凹所に取付けられる取付箇所へと各凹所を呈示すべく上記担持体を移動する段階とを更に含む、請求項６に記載の製造方法。
【請求項１２】
対応する接合部を取付けるために前記担持体は第１および第２軸心の回りで揺動可能であって、対応する接合部を取付けるための前記取付箇所に夫々の凹所を整列できる請求項１１記載の製造方法。
【請求項１３】
中間導体を接続して各接合部と二つの関連する導体との間に電気的接続部を形成する段階を含む請求項１から１２のいずれか一項に記載の製造方法。
【請求項１４】
凹所に取付けられた各接合部は前記凹所および前記隣接する導体に電気的に接続されている請求項１から１３のいずれか一項に記載の製造方法。
【請求項１５】
前記発光接合部と前記導体との間に電気的接続部を形成して前記導体の個々の一つを通る電流を制御できる段階を含み、それにより、当該導体に結合された一つまたは複数の接合部から出力された光を独立して制御するようにした請求項１から１４のいずれか一項に記載の製造方法。
【請求項１６】
前記接合部は電気的に結合して、電気的に直列に接続された接合部のグループを形成する請求項１から１５のいずれか一項に記載の製造方法。
【請求項１７】
さらに、蛍光材料からなる共通層を前記接合部に付加する段階を含む請求項１から１６のいずれか一項に記載の製造方法。
【請求項１８】
さらに、蛍光材料からなる共通層を少なくとも二つの隣接する接合部に付加する段階を含む請求項１から１６のいずれか一項に記載の製造方法。
【請求項１９】
さらに、一つまたは複数の前記導体と前記接合部とを球体部分内に被包する段階を含む請求項１から１８のいずれか一項に記載の製造方法。
【請求項２０】
さらに、前記球体部分にレンズを取付ける段階を含み、前記レンズは前記球体部分から発光された光が所定のパターンをなすよう整形されている請求項１９に記載の製造方法。
【請求項２１】
発光接合部を支持するための複数の凹所を備えたリードフレームを形成する段階を含み、三次元配列を取る如く前記凹所は一つまたは複数の導体に配置されている、ランプを製造する製造方法。
【請求項２２】
さらに、前記リードフレームの接触ピンを変形させる段階と、前記接触ピンをプリント回路基板の対応する取付位置に取付ける段階とを含む請求項２１記載の製造方法。
【請求項２３】
複数のランプの製造方法において、
各ランプと相互接続する複数の部分を備えたリードフレームを形成する段階を含み、前記複数の部分のそれぞれは発光接合部を支持する複数の凹所を備えており、三次元配列を取る如く前記凹所は一つまたは複数の導体に配置されている、複数のランプの製造方法。
【請求項２４】
さらに、発光接合部を前記凹所に取付ける段階と、
前記リードフレームを分割して前記部分を分離し、それにより、各ランプについての複数のリードフレーム組立体を形成する請求項２３に記載の製造方法。
【請求項２５】
ランプから出力された光が略点光源から発射されるように見えるように、前記発光接合部と前記凹所とが配置されている請求項１から２４のいずれか一項に記載の製造方法。
【請求項２６】
ランプの製造方法において、
発光接合部を非平坦支持部の各凹所に取付ける段階を含み、それにより、前記発光接合部は仮想略回転楕円表面に配置されるようになり、それにより、ランプから出力された光が略点光源から発射されるように見えるようにした、製造方法。
【請求項２７】
前記凹所は非平坦支持部の一つまたは複数の導体に形成されており、前記製造方法は、さらに、前記発光接合部と前記一つまたは複数の導体との間において電気的接続部を形成して電流を前記接合部に提供する請求項２６に記載の製造方法。
【請求項２８】
前記凹所は非平坦支持部の導体に形成されており、前記製造方法は、さらに、前記発光接合部と前記導体との間において電気的接続部を形成して個々の導体の一つを通る電流を制御し、それにより、該導体に結合された前記一つまたは複数の接合部から出力された光を独立して制御する請求項２６に記載の製造方法。
【請求項２９】
前記凹所のそれぞれは、対応する発光接合部から出力された光の方向および発散角のうちの少なくとも一つを制御する光学的案内部として機能するようになっている請求項１から２８のいずれか一項に記載の製造方法。
【手続補正２】
【補正対象書類名】明細書
【補正対象項目名】０００２
【補正方法】変更
【補正の内容】
【０００２】
本発明に依れば、三次元配列を取る如く、一つまたは複数の導体に配置された複数の凹所に発光接合部（ｌｉｇｈｔ  ｅｍｉｔｔｉｎｇ  ｊｕｎｃｔｉｏｎ）を取付ける段階を含む、ランプの製造方法が提供される。
【手続補正３】
【補正対象書類名】明細書
【補正対象項目名】０００３
【補正方法】変更
【補正の内容】
【０００３】
好ましくは、前記一つまたは複数の導体はリードフレームの形態をなして設けられている。
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】削除
【補正の内容】
【手続補正６】
【補正対象書類名】明細書
【補正対象項目名】００１０
【補正方法】変更
【補正の内容】
【００１０】
本発明はさらに、発光接合部を支持するための複数の凹所を備えたリードフレームを形成する段階を含み、三次元配列を取る如く前記凹所は一つまたは複数の導体に配置されている、ランプを製造する製造方法を提供する。
【手続補正７】
【補正対象書類名】明細書
【補正対象項目名】００１１
【補正方法】変更
【補正の内容】
【００１１】
本発明はさらに、複数のランプの製造方法において、各ランプと相互接続する複数の部分を備えたリードフレームを形成する段階を含み、前記複数の部分のそれぞれは発光接合部を支持する複数の凹所を備えており、三次元配列を取る如く前記凹所は一つまたは複数の導体に配置されている、複数のランプの製造方法を提供する。
【手続補正８】
【補正対象書類名】明細書
【補正対象項目名】００１２
【補正方法】変更
【補正の内容】
【００１２】
本発明はさらに、ランプの製造方法において、発光接合部を非平坦支持部の各凹所に取付ける段階を含み、それにより、前記発光接合部は仮想略回転楕円表面に配置されるようになり、それにより、ランプから出力された光が略点光源から発射されるように見えるようにした、製造方法を提供する。
他の態様においては、前述した製造方法に基づいて形成されるランプが提供される。